Podtech/llm-jp-corpus-v4-ja_patent huggingface dataset:
【手続補正書】
【提出日】平成18年11月22日(2006.11.22)
【手続補正１】
【補正対象書類名】明細書
【補正対象項目名】特許請求の範囲
【補正方法】変更
【補正の内容】
【特許請求の範囲】
【請求項１】  被検眼の眼底に投与された蛍光剤から発する蛍光を励起するための励起光を被検眼の眼底に照明する照明手段と、
該照明手段の励起光によって照明された被検眼の眼底を撮影する撮影手段と、
前記蛍光の透過率が前記蛍光以外の光の透過率より高い特性を有する第１のフィルタと、
前記蛍光の波長域を含み前記蛍光の波長域よりも広い波長域の光の透過率が前記蛍光の波長域を含み前記蛍光の波長域よりも広い波長域の光以外の光の透過率よりも高い特性を有する第２のフィルタと、
前記第１、第２のフィルタの少なくとも一方を被検眼の眼底から前記撮影手段に至る光路中に配置するフィルタ選択手段と、
を有することを特徴とする眼底撮影装置。
【請求項２】  タイマを有し、前記フィルタ選択手段は前記タイマのスタートから予め設定された時間に達したときに前記第１のフィルタから前記第２のフィルタに切換えることを特徴とする請求項１に記載の眼底撮影装置。
【請求項３】  前記蛍光の透過率が前記蛍光以外の光の透過率よりも高い特性を有する第３のフィルタを、被検眼の眼底から前記撮影手段に至る光路中に配置することを特徴とする請求項１に記載の眼底撮影装置。
【請求項４】  被検眼の眼底に投与された蛍光剤から発する蛍光を励起するための励起光を被検眼の眼底に照明する照明手段と、
該照明手段の励起光によって照明された被検眼の眼底を撮影する撮影手段とを有し、
前記照明手段の光のうち励起光の透過率が高い特性を有する第１のフィルタと、
前記励起光を含み前記励起光の波長域よりも広い波長域の光の透過率が前記励起光を含み前記励起光の波長域よりも広い波長域の光以外の光の透過率より高い特性を有する第２のフィルタと、
前記第１、第２のフィルタの少なくとも一方を前記照明手段の光路中に配置するフィルタ選択手段と、
を有することを特徴とする眼底撮影装置。
【手続補正２】
【補正対象書類名】明細書
【補正対象項目名】０００８
【補正方法】変更
【補正の内容】
【０００８】
【課題を解決するための手段】
上記目的を達成するための本発明に係る眼底撮影装置は、被検眼の眼底に投与された蛍光剤から発する蛍光を励起するための励起光を被検眼の眼底に照明する照明手段と、該照明手段の励起光によって照明された被検眼の眼底を撮影する撮影手段と、前記蛍光の透過率が前記蛍光以外の光の透過率より高い特性を有する第１のフィルタと、前記蛍光の波長域を含み前記蛍光の波長域よりも広い波長域の光の透過率が前記蛍光の波長域を含み前記蛍光の波長域よりも広い波長域の光以外の光の透過率よりも高い特性を有する第２のフィルタと、前記第１、第２のフィルタの少なくとも一方を被検眼の眼底から前記撮影手段に至る光路中に配置するフィルタ選択手段と、を有することを特徴とする。
【手続補正３】
【補正対象書類名】明細書
【補正対象項目名】０００９
【補正方法】変更
【補正の内容】
【０００９】
また、本発明に係る眼底撮影装置は、被検眼の眼底に投与された蛍光剤から発する蛍光を励起するための励起光を被検眼の眼底に照明する照明手段と、該照明手段の励起光によって照明された被検眼の眼底を撮影する撮影手段とを有し、前記照明手段の光のうち励起光の透過率が高い特性を有する第１のフィルタと、前記励起光を含み前記励起光の波長域よりも広い波長域の光の透過率が前記励起光を含み前記励起光の波長域よりも広い波長域の光以外の光の透過率より高い特性を有する第２のフィルタと、前記第１、第２のフィルタの少なくとも一方を前記照明手段の光路中に配置するフィルタ選択手段と、を有することを特徴とする。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００３５
【補正方法】変更
【補正の内容】
【００３５】
【発明の効果】
以上説明したように本発明に係る眼底撮影装置は、記録用と観察用の赤外テレビカメラと表示モニタを共用することができ、記録用光路と観察用光路を独立に設ける場合に比べて構造が単純で部品点数も少なくすることができ、小型化かつ安価に達成することが可能となる。また、光学式ファインダにリレーレンズユニットを装着せずに済むので、カラー撮影や可視蛍光撮影時には、リレーレンズの脱着の手間を掛けずに光学式ファインダを利用することができ、赤外テレビカメラの接続に伴うケーブルを減らすことができ、操作性を向上することができる。
【手続補正７】
【補正対象書類名】明細書
【補正対象項目名】００３６
【補正方法】削除
【補正の内容】
【手続補正８】
【補正対象書類名】明細書
【補正対象項目名】００３７
【補正方法】削除
【補正の内容】
【手続補正９】
【補正対象書類名】明細書
【補正対象項目名】００３８
【補正方法】削除
【補正の内容】
【手続補正書】
【提出日】平成19年5月16日(2007.5.16)
【手続補正１】
【補正対象書類名】特許請求の範囲
【補正対象項目名】全文
【補正方法】変更
【補正の内容】
【特許請求の範囲】
【請求項１】
複数種の絵柄が所定の順序で配列された複数の絵柄列をそれぞれが並行するように配置し、該各絵柄列の絵柄を循環するように所定方向にスクロール表示させる絵柄表示装置と、
前記複数種の絵柄の変動開始条件が成立した場合に、前記複数種の絵柄の変動表示を開始させ、予め設定された変動態様に従って変動表示させた後にその変動表示を終了させるよう前記絵柄表示装置を表示制御する表示制御手段と
を備え、
前記変動表示を終了させる前段階として、前記絵柄表示装置の予め定めた複数の有効ラインのうちの１の有効ライン上に第１特定絵柄の組合せが成立する可能性のある第１リーチ絵柄の組合せを停止表示させることによりリーチラインを形成させ、該リーチラインが形成されている状況下において最終停止絵柄列の絵柄によりリーチ変動を行い、前記リーチライン上で前記第１特定絵柄の組合せとなって前記リーチ変動が終了した場合に遊技者に有利な第１特別遊技状態が発生し、
その一方、前記変動表示を終了させる前段階として、前記複数の有効ラインのうちの１の有効ライン上に第２特定絵柄の組合せが成立する可能性のある第２リーチ絵柄の組合せを停止表示させることにより前記リーチラインを形成させ、該リーチラインが形成されている状況下において前記最終停止絵柄列の絵柄により前記リーチ変動を行い、前記リーチライン上で前記第２特定絵柄の組合せとなって前記リーチ変動が終了した場合に前記第１特別遊技状態よりも遊技者の有利度合いが大きい第２特別遊技状態が発生する遊技機において、
前記複数の絵柄列のそれぞれに前記第１リーチ絵柄の組合せを構成し得る絵柄と前記第２リーチ絵柄の組合せを構成し得る絵柄とを混在させて配列することにより、前記絵柄表示装置に、前記第１リーチ絵柄の組合せによるリーチラインと前記第２リーチ絵柄の組合せによるリーチラインとが同時に形成され得る構成とし、
前記表示制御手段は、
前記第１リーチ絵柄の組合せによる１のリーチラインのみが形成されている状況下で前記リーチ変動が行われた後に該リーチライン上に前記第１特定絵柄の組合せが一旦停止表示された場合において、全ての前記絵柄列の絵柄を同一変動表示回に再変動表示させた後に該第１特定絵柄の組合せと同一又は異なる特定絵柄の組合せを停止表示させる第１再変動表示を行うよう前記絵柄表示装置を表示制御する第１再変動表示制御手段と、
前記第１リーチ絵柄の組合せによるリーチラインと前記第２リーチ絵柄の組合せによるリーチラインとが同時に形成されている状況下で前記リーチ変動が行われた後に前記第１リーチ絵柄の組合せが停止表示されているリーチライン上に前記第１特定絵柄の組合せが一旦停止表示された場合において、前記最終停止絵柄列の絵柄のみを同一変動表示回に再変動表示させた後に前記第１リーチ絵柄の組合せが停止表示されているリーチライン上に前記第１特定絵柄の組合せを停止表示させる、又は前記第２リーチ絵柄の組合せが停止表示されているリーチライン上に前記第２特定絵柄の組合せを停止表示させる第２再変動表示を行うよう前記絵柄表示装置を表示制御する第２再変動表示制御手段と
を備えたことを特徴とする遊技機。
【請求項２】
複数種の絵柄が配列された３つの絵柄列をそれぞれが並行するように配置し、該各絵柄列の絵柄を循環するように所定方向にスクロール表示させる絵柄表示装置と、
前記複数種の絵柄の変動開始条件が成立した場合に、前記複数種の絵柄の変動表示を開始させ、予め設定された変動態様に従って変動表示させた後にその変動表示を終了させるよう前記絵柄表示装置を表示制御する表示制御手段と、
前記３つの絵柄列のうちの両端に位置する絵柄列の絵柄が停止表示された段階で、前記絵柄表示装置の予め定めた複数の有効ラインのうちの１の有効ライン上に第１特定絵柄の組合せが成立する可能性のある第１リーチ絵柄の組合せを停止表示させることによりリーチラインを形成させ、該リーチラインが形成されている状況下において前記３つの絵柄列のうちの中間に位置する絵柄列である最終停止絵柄列の絵柄によりリーチ変動を行い、前記リーチライン上で前記第１特定絵柄の組合せとなって前記リーチ変動が終了した場合に遊技者に有利な第１特別遊技状態が発生し、
その一方、前記３つの絵柄列のうちの両端に位置する絵柄列の絵柄が停止表示された段階で、前記複数の有効ラインのうちの１の有効ライン上に第２特定絵柄の組合せが成立する可能性のある第２リーチ絵柄の組合せを停止表示させることにより前記リーチラインを形成させ、該リーチラインが形成されている状況下において前記最終停止絵柄列の絵柄により前記リーチ変動を行い、前記リーチライン上で前記第２特定絵柄の組合せとなって前記リーチ変動が終了した場合に前記第１特別遊技状態よりも遊技者の有利度合いが大きい第２特別遊技状態が発生する遊技機において、
前記複数の有効ラインのうちの２の有効ラインを交差するように設定した上で、その交差する位置を前記最終停止絵柄列の絵柄が通過するように設定することにより該交差する２の有効ライン上に同時に前記最終停止絵柄列の１の絵柄が停止し得るようにし、
さらに両端に位置する絵柄列のうちの一方の絵柄列には、前記第１リーチ絵柄の組合せ及び前記第１特定絵柄の組合せを構成し得る絵柄と前記第２リーチ絵柄の組合せ及び前記第２特定絵柄の組合せを構成し得る絵柄とが交互に配列された絵柄の配列態様を全体の配列態様のうちの少なくとも一部に含むように前記複数種の絵柄を所定の順序で配列し、他方の絵柄列には、前記複数種の絵柄を前記所定の順序とは逆の順序で配列することにより、前記交差する２の有効ライン上に前記第１リーチ絵柄の組合せによるリーチラインと前記第２リーチ絵柄の組合せによるリーチラインとが同時に形成され得る構成とし、
前記表示制御手段は、
前記第１リーチ絵柄の組合せによる１のリーチラインのみが形成されている状況下で前記リーチ変動が行われた後に該リーチライン上に前記第１特定絵柄の組合せが一旦停止表示された場合において、全ての前記絵柄列の絵柄を同一変動表示回に第１変動速度にて再変動表示させた後に該第１特定絵柄の組合せと同一又は異なる特定絵柄の組合せを停止表示させる第１再変動表示を行うよう前記絵柄表示装置を表示制御する第１再変動表示制御手段と、
前記第１リーチ絵柄の組合せによるリーチラインと前記第２リーチ絵柄の組合せによるリーチラインとが同時に形成されている状況下で前記リーチ変動が行われた後に前記第１リーチ絵柄の組合せが停止表示されているリーチライン上に前記第１特定絵柄の組合せが一旦停止表示された場合において、前記最終停止絵柄列の絵柄のみを同一変動表示回に第２変動速度にて再変動表示させた後に前記第１リーチ絵柄の組合せが停止表示されているリーチライン上に前記第１特定絵柄の組合せを停止表示させる、又は前記第２リーチ絵柄の組合せが停止表示されているリーチライン上に前記第２特定絵柄の組合せを停止表示させる第２再変動表示を行うよう前記絵柄表示装置を表示制御する第２再変動表示制御手段と
を備え、
前記第１変動速度を前記第２変動速度よりも速い変動速度として設定したことを特徴とする遊技機。
【手続補正書】
【提出日】平成19年5月16日(2007.5.16)
【手続補正１】
【補正対象書類名】特許請求の範囲
【補正対象項目名】全文
【補正方法】変更
【補正の内容】
【特許請求の範囲】
【請求項１】
複数の絵柄を変動表示する絵柄表示装置と、
前記複数の絵柄の変動開始条件が成立した場合に、前記複数の絵柄の変動表示を開始させ、予め設定された変動態様に従って変動表示させた後にその変動表示を終了させるよう前記絵柄表示装置を表示制御する表示制御手段と
を備え、
前記複数の絵柄が前記絵柄表示装置に設定された有効ライン上で第１特定絵柄の組合せとなって変動表示を終了した場合に遊技者に有利な第１特別遊技状態が発生し、前記複数の絵柄が前記有効ライン上で第２特定絵柄の組合せとなって変動表示を終了した場合に前記第１特別遊技状態よりも遊技者の有利度合いが大きい第２特別遊技状態が発生する遊技機において、
前記有効ライン上に前記第１特定絵柄の組合せ及び前記第２特定絵柄の組合せが停止せずに、且つ前記有効ラインと並行する仮想ライン上に前記第１特定絵柄の組合せ又は前記第２特定絵柄の組合せが停止する第１変動態様を設定する第１変動態様設定手段と、
前記仮想ライン上にいずれかの特定絵柄の組合せが停止する場合に、同一変動表示回にて当該仮想ライン上に停止した特定絵柄の組合せを前記有効ライン上に移動させる第２変動態様を、前記第１変動態様設定手段に基づく前記第１変動態様に続けて行うよう設定する第２変動態様設定手段と
を備え、
該第２変動態様設定手段は、前記仮想ライン上に前記第１特定絵柄の組合せが停止し且つ該第１特定絵柄の組合せを前記有効ライン上に移動させた場合に、同一変動表示回にて該第１特定絵柄の組合せを再移動させて前記第２特定絵柄の組合せを前記有効ライン上に停止させる第３変動態様を前記第２変動態様に続けて行うよう設定することを特徴とする遊技機。
【請求項２】
前記仮想ライン上に停止する全ての絵柄は、その全体又は一部が前記絵柄表示装置に表示されることを特徴とする請求項１に記載の遊技機。
【請求項３】
前記第１変動態様では、前記仮想ライン上に停止する前記第１特定絵柄又は前記第２特定絵柄の組合せを形成する絵柄のうち少なくとも１の絵柄についてはその一部のみを前記絵柄表示装置に表示することを特徴とする請求項１又は２に記載の遊技機。
【請求項４】
前記第２変動態様設定手段は、前記第２変動態様において前記仮想ライン上に停止されている前記特定絵柄の組合せを前記有効ライン上に移動させる際は、前記特定絵柄の組合せとなっている状態を維持させてそのまま移動させることを特徴とする請求項１乃至３のいずれかに記載の遊技機。
【請求項５】
前記表示制御手段は、前記絵柄表示装置の前記複数の絵柄の奥側に背景画面が位置するように前記絵柄表示装置を表示制御し、前記第２変動態様設定手段は、前記第２変動態様において前記仮想ラインから前記有効ラインへと移動する特定絵柄の組合せとの相対位置関係を維持した状態で、該特定絵柄の組合せが移動するのと共に前記背景画面が移動するよう該背景画面の変動態様も設定することを特徴とする請求項１乃至４のいずれかに記載の遊技機。
【手続補正書】
【提出日】平成19年6月11日(2007.6.11)
【手続補正１】
【補正対象書類名】特許請求の範囲
【補正対象項目名】全文
【補正方法】変更
【補正の内容】
【特許請求の範囲】
【請求項１】
周囲に複数の識別情報が付された回転体と、
前記回転体を回転させる駆動手段と、
前記駆動手段を駆動制御する駆動制御手段と、
定速回転状態にある前記回転体の回転位置を検出可能な回転位置検出手段とを備え、
少なくとも前記駆動制御手段が、前記回転位置検出手段による検出結果に基づき、前記駆動手段の停止制御を行い、前記回転体を所定位置に停止させることができるよう構成された遊技機であって、
前記回転体と一体に回転しかつ所定検出位置を通過するよう設けられた第１被検出部及び第２被検出部からなる一組の被検出部と、
前記所定検出位置を通過する前記各被検出部を検出して検出信号を出力する検出手段とを備え、
前記回転位置検出手段が、前記検出手段からの検出信号に基づき、前記回転体の回転位置を検出できるよう構成され、
さらに、前記回転体を当該回転体の回転軸を中心に所定角度３６０°／２ｎ（ｎは２以上の自然数）の等角度間隔に区分けした２ｎ個のエリアのうち、所定の基準位置よりｍ番目（ｍは１以上の自然数）のエリア内において前記第１被検出部を配置し、ｍ＋ｎ番目のエリア内において前記第２被検出部を配置したことを特徴とする遊技機。
【請求項２】
前記各被検出部は、前記所定検出位置を先に通過する始端部から後に通過する終端部までの長さが、前記所定角度３６０°／２ｎの２分の１以上の角度に対応した長さである角度３６０°／４ｎ以上の角度に対応した長さを有していることを特徴とする請求項１に記載の遊技機。
【請求項３】
前記第１被検出部及び前記第２被検出部は、前記所定検出位置を先に通過するそれぞれの始端部の位置、又は、前記所定検出位置を後に通過するそれぞれの終端部の位置が、前記回転体の回転方向に対して１８０°間隔となるように配置されていることを特徴とする請求項１又は２に記載の遊技機。
【請求項４】
前記第１被検出部及び前記第２被検出部をｋ組（ｋは２以上の自然数）備え、
ｎをｋの倍数としたことを特徴とする請求項１又は２に記載の遊技機。
【請求項５】
前記各被検出部は、それぞれ隣りの被検出部が配置されるエリアのｎ／ｋ個隣りのエリアに配置されていることを特徴とする請求項４に記載の遊技機。
【請求項６】
前記回転体の回転方向に対して、前記各被検出部の始端部又は前記各被検出部の終端部の位置が等角度間隔となるように前記ｋ組の第１被検出部及び第２被検出部が配置されていることを特徴とする請求項４又は５に記載の遊技機。
【手続補正書】
【提出日】平成19年5月30日(2007.5.30)
【手続補正１】
【補正対象書類名】特許請求の範囲
【補正対象項目名】全文
【補正方法】変更
【補正の内容】
【特許請求の範囲】
【請求項１】
水ポンプから供給される空気含有表層水を同方向に分岐吐出させる分岐筒と、該分岐筒から分岐吐出される分流水を、その分流水に連行される底層水と混合・整流して湖沼、河川等の底層部に吐出させる整流筒と、を有してなる水流発生撹拌混合機。
【請求項２】
整流筒は分岐筒の下流側に延在し、該分岐筒の軸方向と整流筒の軸方向が平行になるように配設されていることを特徴とする請求項１に記載の水流発生撹拌混合機。
【請求項３】
整流筒は、その下流側端部の内周部に等間隔に配設され、整流筒の軸方向と傾斜する方向に配設された複数の整流板を有することを特徴とする請求項１又は２に記載の水流発生撹拌混合機。
【請求項４】
整流筒は、両端部に開口部を有する筒状であり、下流側に向かって縮径していることを特徴とする請求項１〜３のいずれかに記載の水流発生撹拌混合機。
【請求項５】
分岐筒は、水ポンプからの空気含有表層水を受け入れる１の吸引口と、該吸引口の口径より口径の小さい複数本の吐出口を有することを特徴とする請求項１〜４のいずれかに記載の水流発生撹拌混合機。
【請求項６】
分岐筒の吐出口は、該吐出口から吐出される分流水が整流筒の軸方向と平行方向に吐出されるように配設されていることを特徴とする請求項５に記載の水流発生撹拌混合機。
【手続補正２】
【補正対象書類名】明細書
【補正対象項目名】発明の名称
【補正方法】変更
【補正の内容】
【発明の名称】水流発生撹拌混合機
【手続補正３】
【補正対象書類名】明細書
【補正対象項目名】００１３
【補正方法】変更
【補正の内容】
【００１３】
本発明は、湖沼、河川等へ空気を散気して水質を浄化する水浄化システムにおける水流発生撹拌混合機において、水ポンプから送水された表層水が渦巻状の乱流として噴出されることにより、底層の水と効果的に撹拌混合され貧酸素状態を改善することができる水流発生撹拌混合機を提供することを課題とする。
【手続補正４】
【補正対象書類名】明細書
【補正対象項目名】００１４
【補正方法】変更
【補正の内容】
【００１４】
この課題のもとに、表層水中に存在するアオコ等の植物性プランクトンに対して、水深差による圧力およびまたは水温の変化を瞬間的に与え、アオコ等を不活性化させアオコ現象等を抑制または予防できるようにする。
【手続補正５】
【補正対象書類名】明細書
【補正対象項目名】００１５
【補正方法】変更
【補正の内容】
【００１５】
また、水ポンプから送水された表層水が底層水と効果的に撹拌混合されることにより底層水の密度とほぼ等しい撹拌混合水を吐出し、密度差による急激な水塊上昇をおこすことなく吐出水を長時間底層に滞留させ、底層水の貧酸素状態を効果的に改善できるようにする。
【手続補正６】
【補正対象書類名】明細書
【補正対象項目名】００１６
【補正方法】変更
【補正の内容】
【００１６】
本発明に係る水流発生撹拌混合機は、水ポンプから供給される空気含有表層水を同方向に分岐吐出させる分岐筒と、該分岐筒から分岐吐出される分流水を、その分流水に連行される底層水と混合・整流して湖沼、河川等の底層部に吐出させる整流筒と、を有してなる。
【手続補正７】
【補正対象書類名】明細書
【補正対象項目名】００１７
【補正方法】変更
【補正の内容】
【００１７】
上記発明において、整流筒は分岐筒の下流側に延在し、該分岐筒の軸方向と整流筒の軸方向が平行になるように配設されているのがよい。
【手続補正８】
【補正対象書類名】明細書
【補正対象項目名】００１８
【補正方法】変更
【補正の内容】
【００１８】
また、整流筒は、その下流側端部の内周部に等間隔に配設され、整流筒の軸方向と傾斜する方向に配設された複数の整流板を有するのがよい。この整流板は、水流発生撹拌混合機の水流発生方向に対して斜角を持たせたているので、吐出噴流が渦巻状の乱流となり、効果的に底層の水と混合撹拌されるようにすることができる。さらに、整流筒は、両端部に開口部を有する筒状であり、下流側に向かって縮径しているのがよい。これにより、噴出流速を加速させ、整流板の乱流発生機能をより効果的にすることができる。
【手続補正９】
【補正対象書類名】明細書
【補正対象項目名】００１９
【補正方法】変更
【補正の内容】
【００１９】
分岐筒は、水ポンプからの空気含有表層水を受け入れる１の吸引口と、該吸引口の口径より口径の小さい複数本の吐出口を有するのがよい。これにより、吐出水表面積を多くしてその摩擦力で整流筒内および整流筒後方の底層水を強制連行させることができる。また、分岐筒の吐出口は、該吐出口から吐出される分流水が整流筒の軸方向と平行方向に吐出されるように配設されているのがよい。
【手続補正書】
【提出日】平成19年6月7日(2007.6.7)
【手続補正１】
【補正対象書類名】明細書
【補正対象項目名】００２０
【補正方法】変更
【補正の内容】
【００２０】
図２によく表われているように、メダルゲームフィールドＭＦには、メダルゲーム盤２とプッシャゲーム機構３とが具備されている。メダルゲーム盤２は、略鉛直状に起立しており、透明な前面カバー２０Ａと、その背後に位置する起立壁２０Ｂとの間にメダルｍを通過させるための空間部２１が形成された構造を有している。この空間部２１の上部には、メダル進入口２１ａが設けられており、図１に示した操作パネル部１３の上記発射用スイッチが操作されると、メダル発射装置（図示略）が作動してスイッチ操作に対応した枚数のメダルｍが供給され、このメダル進入口２１ａから空間部２１に投入されるようになっている。空間部２１には、メダル進入口２１ａの直下において常時揺動していることにより、空間部２１内に投入されたメダルｍを空間部２１内の左右方向などに大きく振り分け移動させるための揺動部材（図示略）や、この揺動部材によって振り分けられたメダルｍの落下移動を不規則に行なわせるための複数本の釘や複数のガイドなどが設けられている。また、複数の入賞口２２も設けられており、これらの入賞口２２にメダルｍが入ると、後述する電子ゲームが行なわれる。
【手続補正書】
【提出日】平成19年6月15日(2007.6.15)
【手続補正１】
【補正対象書類名】特許請求の範囲
【補正対象項目名】全文
【補正方法】変更
【補正の内容】
【特許請求の範囲】
【請求項１】
遊技に関する制御を司る制御手段と、
前記制御手段を具備してなる制御基板と、
前記制御基板を収容状態で被包してなる被包部材と
を備え、前記被包部材には、前記被包状態が解除された場合に所定の痕跡が残存するよう痕跡残存手段を設けてなる遊技機において、
前記制御手段、制御基板及び被包部材のうち、少なくとも１つに対し、所定の合成ＤＮＡ情報を具備してなるインクによる識別手段を設け、
前記合成ＤＮＡ情報は、ＤＮＡ塩基配列のショート・タンデム・リピートの繰返し回数に関する情報であることを特徴とする遊技機。
【請求項２】
前記被包部材は、合成樹脂からなり、前記インクは、前記被包部材に混入されていることを特徴とする請求項１に記載の遊技機。
【請求項３】
前記識別手段は、前記合成ＤＮＡ情報を具備してなるインクによる印刷体であって、前記印刷体は、一次元コード又は二次元コードとして具現化されていることを特徴とする請求項１又は２に記載の遊技機。
【請求項４】
前記識別手段は、前記痕跡残存手段に設けられていることを特徴とする請求項１乃至３のいずれかに記載の遊技機。
【請求項５】
前記識別手段は、前記被包状態が解除される場合に前記被包部材から離間される部位又は離間可能となる部位に設けられていることを特徴とする請求項１乃至４のいずれかに記載の遊技機。
【手続補正書】
【提出日】平成19年6月15日(2007.6.15)
【手続補正１】
【補正対象書類名】特許請求の範囲
【補正対象項目名】全文
【補正方法】変更
【補正の内容】
【特許請求の範囲】
【請求項１】
遊技に関する制御を司る制御手段と、
前記制御手段を具備してなる制御基板と、
前記制御基板を収容状態で被包してなる被包部材と
を備え、前記被包部材には、前記被包状態が解除された場合に所定の痕跡が残存するよう痕跡残存手段を設けてなる遊技機において、
前記制御手段、制御基板及び被包部材のうち、少なくとも１つに対し、所定の核磁気共鳴物質を混入させたインクによる識別手段を設け、
前記核磁気共鳴物質は、粒子サイズが１０の７乗分の１メートル〜１０の５乗分の１メートル程度の粒子群であって、所定の磁気周波数で共鳴しあう性質を有していることを特徴とする遊技機。
【請求項２】
前記被包部材は、合成樹脂からなり、前記インクは、前記被包部材に混入されていることを特徴とする請求項１に記載の遊技機。
【請求項３】
前記識別手段は、前記核磁気共鳴物質を混入させたインクによる印刷体であって、前記印刷体は、一次元コード又は二次元コードとして具現化されていることを特徴とする請求項１又は２に記載の遊技機。
【手続補正書】
【提出日】平成19年5月24日(2007.5.24)
【手続補正１】
【補正対象書類名】特許請求の範囲
【補正対象項目名】全文
【補正方法】変更
【補正の内容】
【特許請求の範囲】
【請求項１】
遊技球を媒体として所定の遊技が実行されると共に遊技球を賞球として払出すように構成された本体と、その本体より払い出された遊技球及び遊技者により投入された遊技球を貯留する貯留部、前記本体より払い出された遊技球を前記貯留部へ流入させる流入口、及び前記貯留部に貯留された遊技球を前記本体側へ供給する供給口を有する上皿と、画面表示可能な表示部と、を備えた遊技機において、
前記上皿の貯留部の一部を前記本体より離間して形成することによって前記貯留部と前記本体との間に空間部を形成すると共に、その空間部の内外に跨って前記表示部を配設したことを特徴とする遊技機。
【請求項２】
前記表示部の下部領域が前記空間部内に、前記表示部の上部領域が前記空間部外にそれぞれ配設されたことを特徴とする請求項１に記載の遊技機。
【請求項３】
前記下部領域と前記上部領域とが略同一の面積であることを特徴とする請求項２に記載の遊技機。
【請求項４】
前記下部領域は、前記上部領域よりも面積が大きいことを特徴とする請求項２に記載の遊技機。
【請求項５】
前記上部領域は、前記下部領域よりも面積が大きいことを特徴とする請求項２に記載の遊技機。
【請求項６】
前記表示部を覆うように透明カバーが設けられたことを特徴とする請求項１乃至５のいずれかに記載の遊技機。
【請求項７】
前記貯留部は、前記流入口及び前記供給口に連続する底面部と、その底面部の周囲を取り囲むように立設された前壁部と、前記底面部を挟んで前記前壁部と対向して立設され且つ前記前壁部側へ凸状に形成された後壁部とを備え、
前記後壁部と前記本体との間に形成された空間部の内外に跨って前記表示部を配設したことを特徴とする請求項１乃至６のいずれかに記載の遊技機。
【請求項８】
前記本体は、前記所定の遊技が実行される本体枠と、その本体枠に対して前面側へ開閉可能に設けられ且つ前記上皿が取り付けられる開閉枠とを備え、
前記後壁部と前記開閉枠との間に空間部を形成したことを特徴とする請求項７に記載の遊技機。
【手続補正書】
【提出日】平成19年6月14日(2007.6.14)
【手続補正１】
【補正対象書類名】特許請求の範囲
【補正対象項目名】全文
【補正方法】変更
【補正の内容】
【特許請求の範囲】
【請求項１】
被検体が配置される撮像空間に静磁場を発生させる静磁場発生部と、前記撮像空間に傾斜磁場を印加する傾斜磁場発生部と、前記撮像空間に高周波磁場を印加する高周波発生部と、前記傾斜磁場発生部と前記高周波発生部とを制御して所定のパルスシーケンスを実行させる制御部とを有し、
前記制御部は、前記所定のパルスシーケンスとして、血流アーチファクト抑制シーケンス、特定物質信号抑制シーケンスおよびイメージング用シーケンスをこの順序で実行させることを特徴とする磁気共鳴イメージング装置。
【請求項２】
請求項１に記載の磁気共鳴イメージング装置において、前記血流アーチファクト抑制シーケンスは、前記撮像空間の被検体を非空間選択的に反転励起する高周波磁場と、前記被検体の撮像断面を含む領域を空間選択的に反転励起する高周波磁場とを順に印加するシーケンスであり、
前記特定物質信号抑制シーケンスは、予め定めた特定の物質の磁化信号を選択的に抑制するための抑制用磁場パルスを印加するシーケンスであり、
前記イメージング用シーケンスは、前記撮像断面についてイメージングを行うシーケンスであることを特徴とする磁気共鳴イメージング装置。
【請求項３】
請求項１に記載の磁気共鳴イメージング装置において、前記血流アーチファクト抑制シーケンスは、前記撮像空間の被検体を非空間選択的に反転励起する高周波磁場と、前記被検体の複数の撮像断面を含む領域を空間選択的に反転励起する高周波磁場とを順に印加するシーケンスであり、
前記特定物質信号抑制シーケンスは、予め定めた特定の物質の磁化信号を選択的に抑制するための抑制用磁場パルスを非空間選択的に印加するシーケンスであり、
前記イメージング用シーケンスは、前記複数の撮像断面についてイメージングを行うシーケンスであることを特徴とする磁気共鳴イメージング装置。
【請求項４】
請求項２または３に記載の磁気共鳴イメージング装置において、前記抑制用磁場パルスは、前記特定の物質を選択的に励起するための高周波磁場と、励起された前記特定の物質の磁化方向を分散させるための傾斜磁場とを含むことを特徴とする磁気共鳴イメージング装置。
【手続補正書】
【提出日】平成19年6月13日(2007.6.13)
【手続補正１】
【補正対象書類名】特許請求の範囲
【補正対象項目名】全文
【補正方法】変更
【補正の内容】
【特許請求の範囲】
【請求項１】
静磁場空間に配置された被検体の複数のスライスをそれぞれ撮影するための撮影シーケンスを制御する計測制御手段と、前記撮影シーケンスに基づいて取得されたエコー信号を用いて前記被検体の画像を再構成する信号処理手段を備え、
前記撮影シーケンスは、前記被検体の脂肪組織からのエコー信号を抑制するための脂肪抑制パルスを生成する脂肪抑制ブロックと、前記被検体から画像用のエコー信号を取得する画像用信号取得ブロックと、を有して成る磁気共鳴イメージング装置において、
前記撮影シーケンスは、前記静磁場不均一分布を求めるためのエコー信号を取得する静磁場不均一用信号取得ブロックを有し、
前記信号処理手段は、前記静磁場不均一用信号取得ブロックで取得されたエコー信号を用いて前記静磁場不均一分布を求め、
前記計測制御手段は、前記信号処理手段で求められた前記静磁場不均一分布に対応して前記脂肪抑制パルスを制御することを特徴とする磁気共鳴イメージング装置。
【請求項２】
請求項１に記載の磁気共鳴イメージング装置において、
前記静磁場不均一用信号取得ブロックの読み出し傾斜磁場はスライス方向に印加されるものであり、
前記信号処理手段は、スライス位置毎の静磁場不均一分布を求め、
前記計測制御手段は、前記スライス位置毎の静磁場不均一分布に対応して、前記脂肪抑制パルスを制御することを特徴とする磁気共鳴イメージング装置。
【請求項３】
請求項２に記載の磁気共鳴イメージング装置において、
前記計測制御手段は、前記スライス方向に印加する読み出し傾斜磁場の極性を反転させて、複数のエコー信号を取得し、
前記信号処理手段は、前記複数のエコー信号の各々のフーリエ変換後の位相差分に基づいて、前記スライス位置毎の静磁場不均一分布を求めることを特徴とする磁気共鳴イメージング装置。
【請求項４】
請求項２又は３に記載の磁気共鳴イメージング装置において、
前記計測制御手段は、スライス毎に前記脂肪抑制パルスを印加することを特徴とする磁気共鳴イメージング装置。
【請求項５】
請求項２又は３に記載の磁気共鳴イメージング装置において、
前記計測制御手段は、２以上のスライスに一括して前記脂肪抑制パルスを印加することを特徴とする磁気共鳴イメージング装置。
【請求項６】
請求項５に記載の磁気共鳴イメージング装置において、
前記計測制御手段は、前記脂肪抑制ブロックを、前記複数のスライスの数より少ない回数だけ実行することを特徴とする磁気共鳴イメージング装置。
【請求項７】
請求項１に記載の磁気共鳴イメージング装置において、
前記計測制御手段は、前記静磁場不均一用信号取得ブロックを、前記複数のスライスの数より少ない回数だけ実行することを特徴とする磁気共鳴イメージング装置。
【請求項８】
請求項１乃至７のいずれか一項に記載の磁気共鳴イメージング装置において、
前記計測制御手段は、前記脂肪抑制パルスが印加されるスライスにおける前記静磁場不均一に対応して、該脂肪抑制パルスの中心周波数を設定することを特徴とする磁気共鳴イメージング装置。
【請求項９】
請求項１乃至８のいずれか一項に記載の磁気共鳴イメージング装置において、
前記被検体を載置して前記静磁場空間内で移動させる移動手段を備え、
前記計測制御手段は、前記被検体を複数の領域に分割して、前記移動手段の領域間のステップ移動と、前記撮影シーケンスを用いた領域毎の撮影と、を繰り返すことを特徴とする磁気共鳴イメージング装置。
【手続補正２】
【補正対象書類名】明細書
【補正対象項目名】００１２
【補正方法】変更
【補正の内容】
【００１２】
上記課題を解決する本発明のMRI装置は、以下のように構成される。即ち、
静磁場空間に配置された被検体の複数のスライスをそれぞれ撮影するための撮影シーケンスを制御する計測制御手段と、前記撮影シーケンスに基づいて取得されたエコー信号を用いて前記被検体の画像を再構成する信号処理手段を備え、前記撮影シーケンスは、前記被検体の脂肪組織からのエコー信号を抑制するための脂肪抑制パルスを生成する脂肪抑制ブロックと、前記被検体から画像用のエコー信号を取得する画像用信号取得ブロックと、を有して成るＭＲＩ装置において、
前記撮影シーケンスは、前記静磁場不均一分布を求めるためのエコー信号を取得する静磁場不均一用信号取得ブロックを有し、前記信号処理手段は、前記静磁場不均一用信号取得ブロックで取得されたエコー信号を用いて前記静磁場不均一分布を求め、前記計測制御手段は、前記信号処理手段で求められた前記静磁場不均一分布に対応して前記脂肪抑制パルスを制御する。
【手続補正３】
【補正対象書類名】明細書
【補正対象項目名】００１４
【補正方法】変更
【補正の内容】
【００１４】
また、本発明の好ましい一実施態様は、前記静磁場不均一用信号取得ブロックの読み出し傾斜磁場はスライス方向に印加されるものであり、前記信号処理手段は、スライス位置毎の静磁場不均一分布を求め、前記計測制御手段は、前記スライス位置毎の静磁場不均一分布に対応して、前記脂肪抑制パルスを制御する。
これにより、マルチスライス撮影において、スライス毎に安定して良好に脂肪抑制された画像を取得することが可能になる。
【手続補正４】
【補正対象書類名】明細書
【補正対象項目名】００１５
【補正方法】変更
【補正の内容】
【００１５】
また、本発明の好ましい一実施態様は、前記計測制御手段は、前記脂肪抑制ブロックを、前記複数のスライスの数より少ない回数だけ実行する。或いは、前記計測制御手段は、前記静磁場不均一用信号取得ブロックを、前記複数のスライスの数より少ない回数だけ実行する。
これにより、静磁場不均一分布の計測回数及び脂肪抑制パルスの印加回数を低減することができる。その結果、前記第2の目的を達成することができる。
【手続補正５】
【補正対象書類名】明細書
【補正対象項目名】００１６
【補正方法】変更
【補正の内容】
【００１６】
また、本発明の好ましい一実施態様は、前記被検体を載置して前記静磁場空間内で移動させる移動手段を備え、前記計測制御手段は、前記被検体を複数の領域に分割して、前記移動手段の領域間のステップ移動と、前記撮影シーケンスを用いた領域毎の撮影と、を繰り返す。
これにより、複数の領域に分割して撮影するマルチステーション撮影においても、上記効果を発揮することができ、その結果、各ステーション毎の撮影時間を短縮することができる。
【手続補正書】
【提出日】平成19年3月16日(2007.3.16)
【手続補正１】
【補正対象書類名】特許請求の範囲
【補正対象項目名】全文
【補正方法】変更
【補正の内容】
【特許請求の範囲】
【請求項１】
マッサージや整体の施術時に被施術者の上半身の下面側に敷かれるクッションマットであって、長手方向に沿って厚みが中程度の中肉部と、厚みが厚い厚肉部と、厚みが薄い薄肉部とが順に連なって形成され、これらの上面が滑らかな湾曲線で結ばれるとともに、中肉部と厚肉部の上面には、幅方向に沿って複数本の溝が形成され、また、材質が低反発弾性ポリウレタンフォームから構成されることを特徴とする上半身受け用クッションマット。
【請求項２】
中肉部と厚肉部の位置の下面には、厚み調整用のクッション材を嵌合せしめるための嵌合溝が幅方向に沿って形成され、この嵌合溝に嵌合可能な一層または二層以上の厚み調整用クッション材が別体の組合せ部品として設けられることを特徴とする請求項１に記載の上半身受け用クッションマット。
【請求項３】
請求項１または２に記載の上半身受け用クッションマットが、一端側端部を切り欠いた切欠凹部が形成されている人体の頭部を支持する頭部支持用クッション材と共に使用されることを特徴とする上半身受け用クッションマットの使用方法。
【手続補正書】
【提出日】平成19年6月11日(2007.6.11)
【手続補正１】
【補正対象書類名】特許請求の範囲
【補正対象項目名】請求項４
【補正方法】変更
【補正の内容】
【請求項４】
前記ワイヤー状高電圧印加電極は、軸線方向が、前記平板状接地電極の対向面に対して平行かつガスの流通方向に直交して配設されている請求項１ないし３のいずれか１項に記載のガス処理方法。
【手続補正２】
【補正対象書類名】特許請求の範囲
【補正対象項目名】請求項１１
【補正方法】変更
【補正の内容】
【請求項１１】
前記ワイヤー状高電圧印加電極は、軸線方向が、前記平板状接地電極の対向面に対して平行かつガスの流通方向に直交して配設されている請求項８ないし１０のいずれか１項に記載のガス処理装置。
【手続補正書】
【提出日】平成19年9月4日(2007.9.4)
【手続補正１】
【補正対象書類名】特許請求の範囲
【補正対象項目名】全文
【補正方法】変更
【補正の内容】
【特許請求の範囲】
【請求項１】
遊技に関する主たる制御を司る主制御手段及び遊技に関する情報を記憶する記憶手段を具備してなる主制御基板と、
少なくとも前記主制御基板を収容状態で被包する被包部材と、
少なくとも前記主制御手段の動作に使用する電力を供給する電力供給手段と、
前記被包部材に設けられ、前記記憶手段の記憶情報を外部操作によりクリヤするためのクリヤ手段とを備えた遊技機であって、
前記クリヤ手段に関し第１の操作がされた状態で、前記電力供給手段による電力の遮断状態から供給状態へと切り換えられ、その後前記クリヤ手段に関し第２の操作がされた場合に、前記記憶手段の記憶情報のクリヤが許容されるよう構成したことを特徴とする遊技機。
【請求項２】
遊技に関する主たる制御を司る主制御手段及び遊技に関する情報を記憶する記憶手段を具備してなる主制御基板と、
少なくとも前記主制御基板を収容状態で被包する被包部材と、
少なくとも前記主制御手段の動作に使用する電力を供給する電力供給手段と、
前記被包部材に設けられ、前記記憶手段の記憶情報を外部操作によりクリヤするためのクリヤ手段とを備えた遊技機であって、
前記クリヤ手段がオン操作された状態で、前記電力供給手段による電力の遮断状態から供給状態へと切り換えられ、その後前記クリヤ手段がオフ操作された場合に、前記記憶手段の記憶情報のクリヤが許容されるよう構成したことを特徴とする遊技機。
【請求項３】
前記被包部材内には、前記主制御基板とは別に、前記電力供給手段により供給される電力が断たれた場合に、前記記憶手段の記憶内容を保持するための保持電力を供給可能な保持電力供給手段を具備するバックアップ基板が収容状態で被包されていることを特徴とする請求項１又は２に記載の遊技機。
【請求項４】
遊技に関する主たる制御を司る主制御手段及び遊技に関する情報を記憶する記憶手段を具備してなる主制御基板と、
少なくとも前記主制御基板を収容状態で被包する被包部材と、
前記被包部材とは離間した位置に設けられ、少なくとも前記主制御手段に、駆動用電源を供給する電源基板と
前記被包部材に設けられ、前記記憶手段の記憶情報を外部操作によりクリヤするためのクリヤ手段とを備えた遊技機であって、
前記駆動用電源が立ち上げられた場合において、前記クリヤ手段に関し第１の操作がされた状態にあるか否かを判定する第１操作判定手段と、
前記第１操作判定手段により肯定判定された場合、当該肯定判定後、少なくとも前記クリヤ手段に関し第１の操作がされている状態が規定時間以上経過したか否かを判定する第１時間判定手段と、
前記第１時間判定手段により肯定判定された場合に、その後前記クリヤ手段に関し第２の操作がされた状態にあるか否かを判定する第２操作判定手段と、
前記第２操作判定手段により肯定判定された場合、当該肯定判定後、少なくとも前記クリヤ手段に関し第２の操作がされている状態が規定時間以上経過したか否かを判定する第２時間判定手段と
を備え、前記第２時間判定手段により肯定判定された場合に、前記記憶手段の記憶情報のクリヤが許容されるよう構成したことを特徴とする遊技機。
【請求項５】
遊技に関する主たる制御を司る主制御手段及び遊技に関する情報を記憶する記憶手段を具備してなる主制御基板と、
少なくとも前記主制御基板を収容状態で被包する被包部材と、
前記被包部材とは離間した位置に設けられ、少なくとも前記主制御手段に、駆動用電源を供給する電源基板と
前記被包部材に設けられ、前記記憶手段の記憶情報を外部操作によりクリヤするためのクリヤ手段とを備えた遊技機であって、
前記クリヤ手段がオン操作された状態にある旨及びオフ操作された状態にある旨のうち少なくとも一方を信号として出力可能な信号出力手段と、
前記信号出力手段の出力結果に基づき、前記駆動用電源が立ち上げられた場合において、前記クリヤ手段がオン操作された状態にあるか否かを判定する第１操作判定手段と、
前記第１操作判定手段により肯定判定された場合、当該肯定判定後、少なくとも当該肯定判定される状態が規定時間以上経過したか否かを判定する第１時間判定手段と、
前記第１時間判定手段により肯定判定された場合に、その後前記信号出力手段の出力結果に基づき、前記クリヤ手段がオフ操作された状態にあるか否かを判定する第２操作判定手段と
を備え、前記第２操作判定手段により肯定判定された場合に、前記記憶手段の記憶情報のクリヤが許容されるよう構成したことを特徴とする遊技機。
【請求項６】
前記被包部材内には、前記主制御基板とは別に、前記電源基板により供給される電源が断たれた場合に、前記記憶手段の記憶内容を保持するための保持電力を供給可能な保持電力供給手段を具備するバックアップ基板が収容状態で被包されていることを特徴とする請求項４又は５に記載の遊技機。
【手続補正書】
【提出日】平成19年8月2日(2007.8.2)
【手続補正１】
【補正対象書類名】明細書
【補正対象項目名】００１４
【補正方法】変更
【補正の内容】
【００１４】
極細繊維発生型複合繊維は、物理的または化学的作用を受けて極細繊維を生じさせる又は与える、２以上の成分から成る複合繊維であり、そのような複合繊維それ自体は常套的に用いられている。極細繊維は、海島型複合繊維の鞘成分が溶出することにより得られたたものであってよく、あるいは、複数の成分から成る分割型複合繊維が各々の成分に割繊されることにより得られたものであってよい。それらの複合繊維は、例えば、紡績糸またはフィラメント糸にされて、織物または編物の形態にされた後、極細繊維を形成する処理に付してよい。その場合、織物または編物それ自体が極細繊維層となる。あるいは、それらの複合繊維を用いて繊維ウェブを作製した後、繊維同士を交絡させる処理および極細繊維を形成する処理を施して、不織布を構成してよい。複合繊維を含む繊維ウェブは、織物または編物に積層してから、前記交絡処理および極細繊維形成処理に付してよく、その場合、本発明のワイピングシートは、不織布と織物または編物とから成る複合シートとなる。
【手続補正２】
【補正対象書類名】明細書
【補正対象項目名】００２２
【補正方法】変更
【補正の内容】
【００２２】
この形態において、極細繊維層は、第１分割型複合繊維および第２分割型複合繊維の割繊により形成された繊度０．９dtex以下の極細繊維を含む。分割型複合繊維は、複数の樹脂成分から成り、繊維断面において構成成分のうち少なくとも１成分が２個以上に区分されてなり、各構成成分の少なくとも一部が繊維表面に露出し、その露出部分が繊維の長さ方向に連続的に形成されている繊維断面構造を有する。２つの樹脂成分から成る分割型複合繊維の繊維断面構造の例を図１（ａ）〜（ｃ）に示す。このような分割型複合繊維は、割繊により、楔状または台形状等の異形断面形状を有する極細繊維を与える。かかる形状の繊維は拭き取り効果を向上させ、ワイピングシートにおいて好ましく存在する。図１においては２つの成分から成る分割型複合繊維のみが例示されているが、分割型複合繊維は３以上の成分から構成されてよい。
【手続補正３】
【補正対象書類名】明細書
【補正対象項目名】００５５
【補正方法】変更
【補正の内容】
【００５５】
この形態においては、少なくとも２種類の極細繊維発生型複合繊維から得られた極細繊維を含み、少なくとも１種類の複合繊維から変性ビニルアルコール樹脂を含んで成る極細繊維（ＶＡ）が得られ、他の複合繊維からその他の樹脂を含んで成る少なくとも１種類の極細繊維（以下、極細繊維（ＶＡ）を生じさせる複合繊維とは異なる複合繊維から得られる極細繊維を「極細繊維（Ｃ）」とも呼ぶ）が得られることを要する。それにより、極細繊維（ＶＡ）および極細繊維（Ｃ）がよりランダムに配置された構成を得ることができ、極細繊維（Ｃ）を骨格として機能させることができる。また、極細繊維（ＶＡ）および少なくとも１種類の極細繊維（Ｃ）をそれぞれ異なる極細繊維発生型複合繊維から形成して、例えば水流交絡処理により交絡させると、２種類以上の極細繊維が良好に絡み合って、極細繊維（Ｃ）による骨格機能がより良好に発揮される。これに対し、例えば、１種類の極細繊維発生型複合繊維（分割型複合繊維を含む）から得られる極細繊維（ＶＡ）および極細繊維は、極細繊維層において束状になって存在する傾向にあり、極細繊維（Ｃ）による補強効果を十分に得られない。また、そのような場合に、極細繊維同士を絡み合わせるとしても、２種類の繊維が複雑に絡みあった構成を得ることは困難である。また、極細繊維（Ｃ）に代えて、骨格として繊度の大きい繊維を使用して極細繊維層を形成したワイピングシートは、液残りが多くなる。このように、この形態を含む本発明のワイピングシートは、強度の小さい極細繊維（ＶＡ）を補強するために用いる繊維もまた極細繊維とし、補強用極細繊維の一部または全部を、変性ビニルアルコール樹脂を含んで成る極細繊維を形成する極細繊維発生型複合繊維とは異なる繊維から形成した点に特徴を有する。なお、先の実施の形態１においては、第２分割型複合繊維から得られる極細繊維（具体的には、極細繊維（Ｂ）および熱接着性極細繊維）が、ここでいう極細繊維（Ｃ）、即ち、極細繊維（ＶＡ）を形成する極細繊維発生型複合繊維（第１分割型複合繊維）とは異なる繊維から得られたものに相当する。
【手続補正４】
【補正対象書類名】明細書
【補正対象項目名】００７６
【補正方法】変更
【補正の内容】
【００７６】
より具体的には、湿潤性のワイピングシートをＯＡ機器用のワイピングシートとして使用する場合には、アルコール（特にエタノール）を５〜３０質量％、洗浄剤を０．１〜１．０質量％、防腐剤（特にパラベン）を０．３〜１．０質量％、および残部として精製水を含む湿潤剤を付着させることが好ましい。湿潤性のワイピングシートを窓ガラス清掃用のワイピングシートとして使用する場合には、アルコール（特にエタノール）を５〜３０質量％、洗浄剤を０．１〜１．０質量％、防腐剤（特に工業用防腐剤）を０．５〜２．０質量％、キレート剤を０．０５〜０．２質量％、保湿剤を１．０〜５．０質量％、および残部として精製水を含む湿潤剤を付着させることが好ましい。
【手続補正書】
【提出日】平成19年1月18日(2007.1.18)
【手続補正１】
【補正対象書類名】特許請求の範囲
【補正対象項目名】全文
【補正方法】変更
【補正の内容】
【特許請求の範囲】
【請求項１】
遊技者による操作の結果に基づいて、単位遊技の開始を指令する遊技開始指令手段と、
前記遊技開始指令手段からの単位遊技の開始の指令に基づいて、当選役を決定する当選役決定手段と、
入賞態様を表示手段に停止表示させる表示制御手段と、
前記表示制御手段により前記表示手段に特定の入賞態様が停止表示された場合に、遊技者に有利な有利状態を発生させる有利状態発生手段と、
前記当選役決定手段の決定結果に基づいて、前記表示制御手段が前記特定の入賞態様を停止表示させることが可能な確率が第１の確率である第１確率状態から、前記表示制御手段が前記特定の入賞態様を停止表示させることが可能な確率が前記第１の確率よりも高い第２の確率である第２確率状態へ移行させるか否かを決定する確率状態移行決定手段と、
前記第１確率状態において、前記当選役決定手段の決定結果に基づいて、前記確率状態移行決定手段が前記第２確率状態への移行を決定する確率が第１の決定確率である第１移行状態から、前記確率状態移行決定手段が前記第２確率状態への移行を決定する確率が前記第１の決定確率よりも高い第２の決定確率である第２移行状態へ移行させるか否かを決定する移行状態移行決定手段と、
を備え、
前記当選役決定手段が第１の役を当選役と決定した場合に、前記確率状態移行決定手段は、前記第２確率状態へ移行させるか否かを決定し、前記移行状態移行決定手段は、前記第２移行状態へ移行させるか否かを決定せず、
前記当選役決定手段が第２の役を当選役と決定した場合に、前記確率状態移行決定手段は、前記第２確率状態へ移行させるか否かを決定せず、前記移行状態移行決定手段は、前記第２移行状態へ移行させるか否かを決定することを特徴とする遊技機。
【手続補正書】
【提出日】平成19年1月18日(2007.1.18)
【手続補正１】
【補正対象書類名】特許請求の範囲
【補正対象項目名】全文
【補正方法】変更
【補正の内容】
【特許請求の範囲】
【請求項１】
遊技者による操作の結果に基づいて、単位遊技の開始を指令する遊技開始指令手段と、
前記遊技開始指令手段からの単位遊技の開始の指令に基づいて、当選役を決定する当選役決定手段と、
入賞態様を表示手段に停止表示させる表示制御手段と、
前記表示制御手段により前記表示手段に特定の入賞態様が停止表示された場合に、遊技者に有利な有利状態を発生させる有利状態発生手段と、
前記表示制御手段が前記特定の入賞態様を停止表示させることが可能な確率が第１の確率である第１確率状態を継続する単位遊技の回数を決定するための決定情報として、決定される単位遊技の回数の期待値が第１の値である第１決定情報と、決定される単位遊技の回数の期待値が第１の値よりも小さい第２の値である第２決定情報とを格納する情報格納手段と、
前記第１確率状態において、前記表示制御手段が前記特定の入賞態様を停止表示させることが可能な確率が前記第１の確率よりも高い第２の確率である第２確率状態への移行を決定する確率状態移行決定手段と、
前記確率状態移行決定手段が前記第２確率状態への移行を決定したことを契機として、前記第１確率状態から前記第２確率状態へ移行させる確率状態移行手段と、
前記第１決定情報に基づいて継続する単位遊技の回数が決定された第１確率状態において、前記確率状態移行決定手段が前記第２確率状態への移行を決定した場合に、前記第１確率状態が継続する単位遊技の回数の決定のために前記第２決定情報を続けて用いる回数を決定する連続回数決定手段と、
前記連続回数決定手段の決定結果に基づいて、前記表示制御手段が前記表示手段に停止表示することを許容する表示態様を、所定の表示態様のうちから決定する許容表示態様決定手段と、
を備え、
前記第１決定情報に基づいて継続する単位遊技の回数が決定された第１確率状態において、前記確率状態移行決定手段が前記第２確率状態への移行を決定した場合には、前記確率状態移行手段は、前記許容表示態様決定手段により決定された表示態様が前記表示手段に停止表示されたことを条件に前記第１確率状態から前記第２確率状態へ移行させることを特徴とする遊技機。